(57)【要約】  【課題】視聴者が文字スーパーを見損ねた場合に、その後、オンデマンドで確実に文字スーパー内容をディスプレイ上で確認できるようにする。  【解決手段】本放送受信装置１は、放送受信信号から文字スーパーの情報を抽出する文字スーパー情報抽出部（ＴＳデコード部４等）と、抽出した文字スーパー情報を記憶するメモリ部（ＮＶＲＡＭ９）と、ユーザ操作に応じて、メモリ部から文字スーパー情報を読み出して、表示デバイス３０に表示させるためのユーザインターフェース（リモコン２０の「文字スーパー表示」キー等）とを有する。  【選択図】図１
2007019996.tif 000002
【特許請求の範囲】
【請求項１】
受信した放送内容を、内蔵または外付けの表示デバイスに表示可能な放送受信装置であって、
放送受信信号から文字スーパーの情報を抽出する文字スーパー情報抽出部と、
抽出した文字スーパー情報を記憶するメモリ部と、
ユーザ操作に応じて、前記メモリ部から前記文字スーパー情報を読み出して、前記表示デバイスに表示させるためのユーザインターフェースと、
を有する放送受信装置。
【請求項２】
前記ユーザインターフェースに、前記文字スーパー情報を前記表示デバイスに表示させるための操作キーを備える
請求項１に記載の放送受信装置。
【請求項３】
前記メモリ部内に未表示の文字スーパー情報が存在するときは、その旨を示す報知情報を前記メモリ部または他のメモリから取り込み、前記報知情報を含む報知画像を生成して、前記表示デバイスに出力する提示処理部を
さらに有する請求項１に記載の放送受信装置。
【請求項４】
前記提示処理部は、放送映像データが入力可能になっており、前記報知画像の表示に際し前記放送映像データが入力されているときは、当該放送映像の画像に前記報知情報を合成して前記表示デバイスに出力し、放送映像データが入力されていないときは前記報知画像を前記表示デバイスに出力する
請求項３に記載の放送受信装置。
【請求項５】
前記メモリ部は、前記表示デバイスに前記ユーザ操作に応じて一度表示された文字スーパー情報を消去する
請求項１に記載の放送受信装置。
【請求項６】
電源オフ時に放送受信部、前記文字スーパー情報抽出部および前記メモリ部への電源供給を継続し、前記文字スーパー情報の抽出と記憶を実行する
請求項１に記載の放送受信装置。
【発明の詳細な説明】
【技術分野】
【０００１】
本発明は、受信した放送内容を、内蔵または外付けの表示デバイスに表示可能な放送受信装置に関し、とくに文字スーパー情報の処理に関する。
【背景技術】
【０００２】
デジタル放送では、速報ニュースなどを視聴者に知らせる「文字スーパー」というサービスが提供されている。「文字スーパー」は、番組内容を補助する文字情報である「字幕」とは異なり、映像コンテンツの場面とは非同期で送出される文字情報である。また、「文字スーパー」はアイコンや地図などの画像を含ませることが可能であり、純粋な文字情報である「字幕」とは、この点でも異なる。
デジタル放送で送出される文字スーパーは即時性が要求されるため、数回に分けて数秒送出する運用がされている。
【０００３】
字幕に関して、モニタに字幕が表示されている期間中にリモコンを操作し、字幕をメモリに保存する技術が知られている（たとえば特許文献１参照）。
特許文献１に記載の技術は、テレビ番組中に表示される「郵便あて先情報」、「WebサイトのURL情報」、「番組への問い合わせ情報」などの字幕を視聴者がメモできない場合に、後でユーザ操作に応じてメモリから字幕情報を読み出して、番組映像と一緒にモニタ表示させるものである。
【０００４】
一方、「選挙結果速報」、「地震情報」などの速報性が高いニュース等を視聴者に知らせるための文字スーパーは、番組内容との関連性がないため、番組映像の鑑賞の妨げとなる場合がある。とくに記録媒体に番組映像を記録する場合には、即時性ゆえ既に利用価値が低下した文字スーパーは鑑賞の邪魔になることが多い。
そこで、番組映像を記録媒体に記録する際に、後で番組映像の再生時に文字スーパーを非表示にすることが可能な技術が知られている（たとえば特許文献２および３参照）。
【０００５】
特許文献２では、文字スーパーが放送受信データに含まれているときは、文字スーパーをメモリに一時蓄積し、放送番組の記録時に、メモリから文字情報を読み出して、記録媒体の番組データの後に記録する。
したがって、この技術では番組生成時には文字スーパーは表示されないが、番組再生が終了すると続いて文字スーパーが再生表示される。
【０００６】
特許文献３では、映像と文字スーパーを分離して、放送受信のときは文字スーパーを番組に合成して一緒に表示させ、一方で、ハードディスク等の記録媒体に記録する場合に、ユーザ設定に応じて文字スーパーの合成を行うか否かを制御する。
したがって、この技術では、ユーザが「非表示」を選択した場合は番組再生時に文字スーパーは表示されない。一方、ユーザが「表示」を選択した場合には、文字スーパーが送出されたときの番組と一緒に文字スーパーが表示されるため、どの番組で文字スーパーが送出されたかが分かる。
【特許文献１】特開２００３−７８８８９号公報
【特許文献２】特許第３６００１０９号公報
【特許文献３】特開２００４−３４３３１２号公報
【発明の開示】
【発明が解決しようとする課題】
【０００７】
視聴者（ユーザ）は常にテレビ放送を見ている状態とは限らず、緊急性の高い文字スーパーを見逃すことも多い。
【０００８】
上記特許文献２に記載された技術では、視聴者が見損ねた文字スーパーだけを見ようとする場合、そのアクセスが面倒で簡単に文字スーパーの内容を確認できない。
すなわち、特許文献２に記載の技術では、記録媒体に番組映像の最後に文字スーパーが記憶されていることから、文字スーパーのみ見ようとする場合、記録媒体を番組映像の部分を早送りして文字スーパーの記録部分を探してからでないと、これを見ることができない。また、記録媒体に番組映像を保存しない場合は、文字スーパーも保存されないことから、文字スーパーを後で確認することが不可能である。
【０００９】
特許文献３に記載の技術では、放送中は映像モニタと別の表示手段（たとえばＬＥＤ表示管）に文字スーパーだけを表示可能である。
ところが、特許文献２と同様に、視聴者がその番組を見なかった場合で、かつ、その番組を記録媒体に録画していない場合は、後で文字スーパーだけを確認することが不可能である。
【００１０】
本発明が解決しようとする課題は、視聴者が文字スーパーを見損ねた場合に、その後、オンデマンドで確実に文字スーパー内容をディスプレイ上で確認できる放送受信装置を実現することである。
【課題を解決するための手段】
【００１１】
本発明に係る放送受信装置は、受信した放送内容を、内蔵または外付けの表示デバイスに表示可能な放送受信装置であって、放送受信信号から文字スーパーの情報を抽出する文字スーパー情報抽出部と、抽出した文字スーパー情報を記憶するメモリ部と、ユーザ操作に応じて、前記メモリ部から前記文字スーパー情報を読み出して、前記表示デバイスに表示させるためのユーザインターフェースとを有する。
本発明では好適に、前記ユーザインターフェースに、前記文字スーパー情報を前記表示デバイスに表示させるための操作キーを備える。
本発明では好適に、前記メモリ部内に未表示の文字スーパー情報が存在するときは、その旨を示す報知情報を前記メモリ部または他のメモリから取り込み、前記報知情報を含む報知画像を生成して、前記表示デバイスに出力する提示処理部をさらに有する。
本発明では好適に、前記提示処理部は、放送映像データが入力可能になっており、前記報知画像の表示に際し前記放送映像データが入力されているときは、当該放送映像の画像に前記報知情報を合成して前記表示デバイスに出力し、放送映像データが入力されていないときは前記報知画像を前記表示デバイスに出力する。
【００１２】
以上の構成を有する放送受信装置では、放送受信信号が入力されたときに、文字スーパー情報抽出部が文字スーパー情報を抽出し、メモリ部が、これを記憶する。また、当該放送受信装置にはユーザインターフェースを備える。ユーザインターフェースは、ユーザ（視聴者）の操作に応じて、メモリ部から文字スーパー情報を読み出して、表示デバイスに表示させるための手段である。このため、ユーザが操作すると、メモリ部から文字スーパー情報が読み出されて表示デバイスに表示される。
【００１３】
また、本発明では任意の構成として、報知画像の提示処理を行う提示処理部を備える。報知画像とは、メモリ部に未表示の文字スーパー情報が存在することをユーザに知らせる画像である。提示処理部は、報知画像の表示に際し放送映像データが入力されているときは、当該放送映像の画像に報知情報を合成して表示デバイスに表示させる。一方、放送映像データが入力されていないときは報知画像を表示デバイスに表示させる。
【発明の効果】
【００１４】
本発明によれば、視聴者が文字スーパーを見損ねた場合に、その後、オンデマンドで確実に文字スーパー内容をディスプレイ上で確認できるという利点がある。
【発明を実施するための最良の形態】
【００１５】
本発明は、テレビジョン受像機、放送受信機（チューナ装置）、放送受信機能付きの録画再生装置（ＤＶＤレコーダ等）、コンピュータ、携帯電話機、あるいは車載用ナビゲーション装置など、放送受信機能を備えた各種電子機器に広く適用可能である。
【００１６】
図１は、本実施形態にかかる電子機器（放送受信装置）の基本的な構成を示す図である。
図解した放送受信装置１は、端子Ｔ１にアンテナが接続可能なチューナ２、復調部３、ＴＳ(Transport Stream)デコード部４、音声デコード部５、映像デコード部６、提示処理部７、Ｉ／Ｏ部８、ＮＶＲＡＭ９、ＲＯＭ１０、ＲＡＭ１１およびＣＰＵ１２を有する。ＲＡＭ１１は、各種制御情報を一時的に保存する小規模のＲＡＭのほか、ビデオＲＡＭ等からなるフレームメモリ等を含む。
これらの各部はシステムバス１３に接続され、相互にデータやコマンド等の制御情報の通信が可能になっている。ＣＰＵ１２は、たとえばＲＯＭ１０に保存されているプログラムを読み出して実行することにより、他の各部の制御を行う。
音声デコード部５の出力は端子Ｔ２を介してスピーカ等に供給され、提示処理部７の出力は端子Ｔ３を介して外付けの表示デバイスに供給される。
【００１７】
つぎに、上記構成の基本動作を説明する。
放送局（または中継用）の電波塔から送信されたＲＦ信号（以下、放送受信信号という）をアンテナが受信すると、チューナ２は、周波数変換、選局、増幅、ノイズ除去等の受信処理を行い、復調部３が映像、音声および付属情報を含むＴＳデータ（パケットからなるデジタル時系列符号）に復調する。
ＴＳデコード部４は、ＴＳデータをデコードし、音声パケット、映像パケット、および、文字スーパーを含む付属情報のパケットに分離する。音声パケットは音声デコード部５でデコードされ、アナログ信号に変換された後、端子Ｔ２から不図示のスピーカ等に出力される。映像パケットは映像デコード部６でデコードされてデジタル映像信号に変換された後、提示処理部７に送られる。
提示処理部７は、映像と文字スーパーとを合成し、あるいは、ＲＯＭ１０等から読み出されたＯＳＤ画像を映像に重ねることにより表示映像を生成する処理を実行する。なお、ここで「合成」というときには、フレームメモリを用いて新たな合成画像を生成する場合、画像同士、あるいは、画像と文字情報を水平と垂直の同期を取りながらスイッチングして出力する場合の双方を含む。提示処理部７から出力された表示映像は、端子Ｔ３を介して不図示の表示デバイスに出力され表示される。
【００１８】
Ｉ／Ｏ部８にはリモコン信号の受光部を含み、当該放送受信装置１のリモートコントローラ（以下、リモコンと略称する）２０からのリモコン信号を受信可能となっている。リモコン信号は、当該Ｉ／Ｏ部８内またはＣＰＵ１２内でデコードされて解読される。ＣＰＵ１２は、リモコン信号に応じたユーザ指示に従って各部を制御するコマンドを発行する。
【００１９】
図１に示す各部のうち、とくにＴＳデコード部４のＴＳデコードの実行、音声デコード部５および映像デコード部６が行う音声および映像のデコードの実行、ならびに、提示処理部７が行う画像同士または画像と文字スーパーとの合成（以下、ビデオ合成）の実行は、上記プログラムに記述された手順をＣＰＵ１２が実行することにより実現可能である。以下、これらのデコードやビデオ合成の処理を、ＣＰＵ１２が各種のメモリを用いて行う場合を例として説明する。
【００２０】
図２は、ＴＳデータのデコードやビデオ合成の処理の流れを示すソフトウエハ構成を、各種メモリや外付けの表示デバイス等とともに示す図である。また、図３に文字スーパーを含む画像例を示し、図４に合成後の画像例を示す。
ＣＰＵ１２が制御するＴＳデータのデコードやビデオ合成に関するプログラム処理は、大別すると、図２に示すように、ＴＳデコード処理Ｐ１、文字スーパー・デコード処理Ｐ２、音声や映像のデコード処理（ＡＶデコード処理）Ｐ３、および、ビデオ合成処理Ｐ４を含む。
【００２１】
ＴＳデコード処理Ｐ１では、前述したパケットの種類ごとの分離をフィルタリングにより実行する。また、ＴＳデコード処理Ｐ１では、ＴＳデータ（パケットの時系列データ）のに含まれる識別情報、たとえば「コンポーネントタグ」を調べ、文字スーパー情報を含んでいるかを判定する。そして、文字スーパー情報を含む場合は、そのパケットを文字スーパー・デコード処理Ｐ２に送る。一方、音声パケットおよび映像パケットはＡＶデコード処理Ｐ３に送られる。
【００２２】
文字スーパー・デコード処理Ｐ２では、文字スーパー情報を含むパケットをデコードし、デジタル文字信号としてフレームメモリ１１ＡおよびＮＶＲＡＭ９に出力する。ＮＶＲＡＭ９は、本発明の「メモリ部」の実施例に該当するものであり、文字スーパー情報を記憶する。ＮＶＲＡＭ９内の文字スーパー情報は、図１のＣＰＵ１２からのコマンドにより何時でもフレームメモリ１１Ａに出力可能である。
一方、フレームメモリ１１Ａは文字スーパーを含む画像を一時的に記憶する。
【００２３】
ＡＶデコード処理Ｐ３では、音声デコードと映像デコードを行い、デコード後のアナログ音声信号を外部のスピーカ４０に出力し、デコード後のデジタル映像信号をビデオ合成処理Ｐ４に出力する。
【００２４】
ビデオ合成処理Ｐ４では、図３に示す文字スーパーを含む画像と、当該文字スーパーを放映時に重ねることが放送局側で決められていた番組映像とを合成し、たとえば図４に示すような、放映時の画像を生成し、これを外付けの表示デバイス３０に出力する。
また、放映時でないとき、すなわち、上述したようにＮＶＲＡＭ９からフレームメモリ１１Ａに文字スーパー情報が読み出されたときは、その文字スーパー情報を放映時に重ねることが放送局側で決められていた放送映像がビデオ合成処理Ｐ４に入力されていないことから、図３に示す文字スーパー情報のみの画像がビデオ合成処理Ｐ４から表示デバイス３０に出力され表示される。
【００２５】
この放送受信装置１は、放送受信信号に文字スーパー情報を含むときは必ずＮＶＲＡＭ９に文字スーパー情報が記憶される。そして、ＮＶＲＡＭ９に記憶された文字スーパー情報は、ユーザ操作に基づいて何時でも表示デバイス３０に表示させることができる。以下、この表示を「文字スーパーのオンデマンド表示」という。
【００２６】
本実施形態では、ＮＶＲＡＭ９内の文字スーパー情報（および属性情報）は、一度読み出されると消去される。この制御は、ＣＰＵ１２が読み出しコマンドに続けて消去コマンドをＮＶＲＡＭ９に送ることにより実現可能である。
なお、消去をユーザ操作に応じて行ってもよいし、ＮＶＲＡＭ９のメモリ容量が一杯になった場合に、古いものから自動消去してもよい。
【００２７】
図２において、文字スーパー・デコード処理Ｐ２にＲＡＭ１１Ｂが接続されている。これは、文字スーパーが複数の文からなる場合、一連の内容を一まとまりにしてＮＶＲＡＭ９に保存する必要があり、さらには、文字スーパーは通常、同じ内容が所定間隔をおいて何度か送出される場合が多いことから、繰り返しとなる文字スーパーは一度だけＮＶＲＡＭ９に保存するための処理を行うためである。つまり、デコードされた文字スーパー情報を一旦ＲＡＭ１１Ｂに蓄積し、一連のもので、かつ、最初の文字スーパー情報をＮＶＲＡＭ９に書き込み処理が実行される。
【００２８】
図２において、フレームメモリ１１ＡにＲＯＭ１０が接続されている。これは、文字スーパーのオンデマンド表示時に用いるＯＳＤ画像等を蓄積するためのメモリである。ユーザ操作に基づいて、ＲＯＭ１０からフレームメモリ１１Ａに読み出し、これによってユーザに便利なオンデマンド表示のインターフェースを実現する。
【００２９】
図５に、オンデマンド表示設定時のＯＳＤ画像例（以下、オンデマンド設定画像という）５０を示し、図６に、ユーザが見ていない文字スーパーが存在することを示す報知情報のＯＳＤ画像例（以下、本発明の「報知画像」に相当、以下、報知アイコン画像という）５１を示す。これらの表示制御は後述する。
【００３０】
また図７に、リモコンの操作キー配置例を示す。
リモコン２０には、ＮＶＲＡＭ９に記憶されている文字スーパー情報を表示させるための操作キーとして、文字スーパー表示ボタン２１が配置されている。なお、他の電源ボタン、テンキー、チャネル選局キー、音量調整キーについては通常のものと同じであり、ここでの説明を省略する。
【００３１】
本実施形態におけるＴＳデコード部４、あるいは、ＴＳデコード部４に文字スーパー・デコード処理Ｐ２を実行するＣＰＵ１２の機能を加えたものが、本発明の「文字スーパー抽出部」に相当する。
また、本発明の「ユーザインターフェース」の本実施形態の該当部分は、文字スーパー情報を表示させるための操作キー（文字スーパー表示ボタン２１）を含む。さらに、Ｉ／Ｏ部８と、オンデマンド表示に関するＣＰＵ１２の機能とを、操作キーに加えたものを「ユーザインターフェース」として広く捉えることもできる。さらに、オンデマンド表示のためのＯＳＤ画像（図５および図６参照）、それらを記憶するＲＯＭ１０を「ユーザインターフェース」の概念に含ませることもできる。
【００３２】
つぎに、文字スーパーの自動蓄積（ＮＶＲＡＭ９への蓄積）について、図８のフローチャートに沿って、図１〜図７を適宜参照しつつ説明する。なお、以下の説明では、図１および図２のＮＶＲＡＭ９には、一つの臨時ニュースを表す文字スーパー情報のみ保存し、読み出すたびに消去することを前提とする。
【００３３】
文字スーパーの受信待ちを行い（ステップＳＴ１１）、放送受信信号に文字スーパー情報が識別情報により含まれることが判定された場合は、文字スーパー情報のデコードを行う（ステップＳＴ１２）。
デコード後の文字スーパー情報は図２に示すＲＡＭ１１Ｂに蓄積され（ステップＳＴ１３）、続いてフレームメモリ１１Ａに書き込まれる（ステップＳＴ１４）。
【００３４】
つぎのステップＳＴ１５では、一連の文字スーパー情報の書き込みが終了したかが判断される。この判断が「ＹＥＳ」の場合、処理フローがつぎのステップＳＴ１６に進み、「ＮＯ」の場合、一連の文字スーパー情報のデコードおよび書き込みが終わってないとして処理フローをステップＳＴ１１に戻す。
ここで「一連の文字スーパー情報」とは、視聴者に速報ニュースを知らせる場合は、その速報ニュースの内容を構成する全ての文を含み、図形やアイコンがある場合は、さらに図形やアイコンを含む文字スーパー情報群をいう。
一連の文字スーパー情報であるか、他の全く別な速報ニュースの一連の文字スーパー情報であるかは、時系列ＴＳデータの時間間隔で判断可能である。２つの一連の文字スーパー情報が、たとえば放映時間にして数１０分以上間隔と、比較的長時間離れている場合、当該２つの一連の文字スーパー情報は異なる速報ニュースを伝える文字スーパー情報であると判断できる。
【００３５】
一方、文字スーパー情報は複数のフレームで、すなわち放映時間にして数秒から数１０秒間表示され、同じ内容が数秒から数十秒間隔で何度か繰り返し表示されるのが常である。このような一連の文字スーパー情報が繰り返し送られてくる場合、ステップＳＴ１３におけるＲＡＭ１１Ｂへの書き込みは、たとえば最初に送られてくる一連の文字スーパー情報のみ行う。
このとき一連の文字スーパー情報同士が、たとえば放映時間にして数秒から数１０秒間隔と比較的短時間離れている場合、同じ内容の一連の文字スーパー情報が繰り返し送られていると判断できる。
【００３６】
つぎのステップＳＴ１６にて、オンデマンド設定の有無を確認する。
オンデマンド設定は、ユーザがメニュー画面等を見てリモコン操作により行う。
ユーザがオンデマンド設定のメニューを選択すると、図５に示すオンデマンド設定画像５０が図２のＲＯＭ１０から読み出され、画像合成後に表示デバイス３０に表示される。
ユーザはオンデマンド設定画像５０を見て、「設定する」を選択した場合、図８のステップＳＴ１６の判断が「ＹＥＳ」となり処理フローがつぎのステップＳＴ１７に進む。一方、「設定しない」を選択した場合ステップＳＴ１６の判断が「ＮＯ」となって、当該文字スーパーの自動蓄積処理が終了する。
【００３７】
なお、このオンデマンド設定を示すフラグデータは、図１のＣＰＵ１２内のレジスタあるいはＲＡＭ１１に保存されている。ＣＰＵ１２はフラグデータを確認して、図８のステップＳＴ１６の分岐を制御する。
【００３８】
ステップＳＴ１７では、図２のＲＡＭ１１Ｂに蓄積された文字スーパー情報をフレームメモリ１１Ａに書き込む。
そして、ステップＳＴ１８にて、報知アイコン画像５１（図６参照）の表示許可フラグを「許可」に設定する。この報知アイコン画像の表示許可フラグは、図１のＣＰＵ１２内のレジスタあるいはＲＡＭ１１に保存されている。
【００３９】
通常の放送受信時には、図４に示すような放送画像が表示デバイス３０に出力されていることから、これに重ねて報知アイコン画像５１（図６）が表示されることはない。
【００４０】
一方、一旦電源がオフされ、つぎに電源がオンされたときなど、その後の所定のタイミングでこの表示許可フラグをＣＰＵ１２が調べ、「許可」の場合は、図６に示す報知アイコン画像５１をＲＯＭ１０からフレームメモリ１１Ａに読み出して、その報知アイコン画像５１のみの報知画像を表示し、あるいは、現在放映中の番組画像に報知アイコン画像５１を重ねて表示する。
【００４１】
ユーザは、報知アイコン画像５１の表示により、未だ一度も読み出されていない文字スーパー情報がＮＶＲＡＭ９内に存在することを知ることができる。
ユーザが図７の文字スーパー表示ボタン２１を押すことによりＮＶＲＡＭ９から文字スーパー情報が読み出されてオンデマンド表示されると、ＮＶＲＡＭ９内の文字スーパー情報が消去されるとともに、報知アイコン画像の表示許可フラグが「許可」から「不許可」に変更される。
【００４２】
その後、新たな一連の文字スーパー情報がＮＶＲＡＭ９に書き込まれるたびに、報知アイコン画像の表示許可フラグは「不許可」から「許可」に戻される。
【００４３】
つぎに、ユーザ操作に基づく文字スーパーのオンデマンド表示について、図９のフローチャートに沿って、図１〜図７を適宜参照しつつ説明する。なお、以下の説明においても、図１および図２のＮＶＲＡＭ９には、一つの臨時ニュースを表す文字スーパー情報のみ保存し、読み出すたびに消去することを前提とする。
【００４４】
図７に示すリモコン２０の文字スーパー表示ボタン２１をユーザが押すと、そのことを示すリモコン信号が図１のＩ／Ｏ部８に送られる。リモコン信号が解読されて、文字スーパー表示の操作が検出されると（ステップＳＴ２１）、ＣＰＵ１２がＮＶＲＡＭ９に、文字スーパー情報の読み出しのためのコマンドを送る。
【００４５】
このとき、図５に示す画面を用いてユーザにより文字スーパーのオンデマンド表示設定が予めなされているかが、ＣＰＵ１２により判断される。具体的には、ＣＰＵ１２がオンデマンド表示設定のフラグを調べる。
また、ステップＳＴ２２にて、ＮＶＲＡＭ９内に文字スーパー情報が存在するかが判断される。具体的には、ＣＰＵ１２が報知アイコン画像の表示許可フラグを調べ、そのフラグが「許可」ならば読み出すべき文字スーパー情報がＮＶＲＡＭ９内に存在し、「不許可」ならば読み出すべき文字スーパー情報がないと判断する。
ＮＶＲＡＭ９内に文字スーパー情報が存在するときは、処理フローがつぎのステップＳＴ２３に進み、文字スーパー情報が存在しないときは当該オンデマンド表示処理自体を終了する。
【００４６】
起動時等に図６に示す報知アイコン画像５１が表示デバイスに表示されている場合、ステップＳＴ２３にて、これを消去する。
ステップＳＴ２４にて、図２に示すＮＶＲＡＭ９から文字スーパー情報をＲＡＭ１１Ｂに読み込む。続いて文字スーパー・デコード処理Ｐ２を実行し（ステップＳＴ２５）、デコード後の文字スーパー情報をフレームメモリ１１Ａに書き込む（ステップＳＴ２６）。
【００４７】
ステップＳＴ２７では、一連の文字スーパー情報の読み込みからフレームメモリ１１Ａへの書き込みが終了したかをＣＰＵ１２が判断する。この判断が「ＮＯ」のときは、「ＹＥＳ」となるまでステップＳＴ２４〜ＳＴ２６を繰り返す。
【００４８】
一連の文字スーパー情報の読み込み完了により、フレームメモリ１１Ａ上で、たとえば図３に示す画像（文字スーパー画像）が生成される。
なお、文字スーパー情報が複数ある場合は、その放映順が分かるように同時に複数の文字スーパー情報を含む一覧画像を生成してもよい。また、文字スーパー情報の属性、たとえば日時、また必要なら、その文字スーパーを放映時に重ねることが放送局側で決められていた番組の識別情報を同時に表示することも可能である。属性情報を表示させる場合は、文字スーパーが属性情報とともに図２の文字スーパー・デコード処理Ｐ２でデコードされ、互いに関連付けられてＮＶＲＡＭ９に予め記憶されている。
生成された文字スーパー画像は、図２の表示デバイス３０に、たとえば図３のように表示される。
【００４９】
その後、ステップＳＴ２８にて、ＮＶＲＡＭ９内の文字スーパー情報（および、属性情報があるときは当該属性情報）を消去し、報知アイコン画像の表示許可フラグを「許可」から「不許可」に変更すると、当該オンデマンド表示処理が終了する。
【００５０】
本実施形態によれば、文字スーパー情報が放送映像信号に含まれるかが検出され、含まれる場合は当該文字スーパー情報（および、属性情報があるときは当該属性情報）のみが、ＮＶＲＡＭ９に蓄積される。ＮＶＲＡＭ９に蓄積される一連の文字スーパー情報の数に限定はなく、ＮＶＲＡＭ９の記憶容量が許す限り蓄積が可能である。
そして、ユーザ操作に基づいて、ユーザは何時でも文字スーパー情報のオンデマンド表示が可能である。このとき、文字スーパー情報が蓄積されている場所は専用のメモリ（ＮＶＲＡＭ９）に限定されていることから、ユーザが蓄積場所を探す手間は不要である。また、検索処理負担も軽く、すばやく文字スーパー情報を表示可能である。
【００５１】
本実施形態では、一旦オンデマンドで読み出された文字スーパー情報（および、属性情報があるときは当該属性情報）は消去されるので、ユーザが確認したにもかかわらず、つぎのオンデマンド表示で同じ内容が表示されることがない。また、ＮＶＲＡＭ９のメモリ容量が比較的小規模で済む。
さらに、オンデマンド表示設定が可能で、オンデマンド表示をさせないことも可能である。
【００５２】
ユーザが当該放送受信装置を起動したときに、未確認（未読み出し）の文字スーパー情報が存在するときは、報知アイコン画像が表示されることから、ユーザはまだ見ていない文字スーパー情報の存在を知ることができる。
【００５３】
なお、本実施形態では、図１および図２に示す各種構成のうち、文字スーパー情報の自動蓄積にかかわる部分、たとえばチューナ２、復調部３、ＴＳデコード部４、ＮＶＲＡＭ９、ＲＡＭ１１Ｂ、および、ＣＰＵ１２を、電源オフ時にも電源供給して起動させておく設定が可能である。この設定は、メニュー画面上でユーザが設定可能である。
この設定をユーザが予めオンしておくと、電源オフ時にも文字スーパー情報の自動蓄積が実行され、つぎにユーザが電源オンしたときに、その内容を確認することが可能である。一方、この設定をオフしておくと、上記各種構成は電源オフと同時に電源供給が絶たれ、消費電力を節約できる。
【図面の簡単な説明】
【００５４】
【図１】実施形態にかかる放送受信装置の基本構成図である。
【図２】ＴＳデータのデコードやビデオ合成の処理の流れを示すソフトウエハ構成を示す図である。
【図３】文字スーパーを含む画像例を示す図である。
【図４】合成後の画像例を示す図である。
【図５】オンデマンド設定画像を示す図である。
【図６】報知画像例を示す図である。
【図７】リモコンの操作キー配置例を示す図である。
【図８】文字スーパーの自動蓄積処理のフローチャートである。
【図９】文字スーパーのオンデマンド表示処理のフローチャートである。
【符号の説明】
【００５５】
１…放送受信装置、２…チューナ、３…復調部、４…ＴＳデコード部、７…提示処理部、８…Ｉ／Ｏ部、９…ＮＶＲＡＭ、１０…ＲＯＭ、１１,１１Ｂ…ＲＡＭ、１１Ａ…フレームメモリ、１２…ＣＰＵ、１３…システムバス、２０…リモコン、２１…文字スーパー表示ボタン、３０…表示デバイス、５０…オンデマンド設定画像、５１…報知アイコン画像、Ｐ１…ＴＳデコード処理、Ｐ２…文字スーパー・デコード処理、Ｐ３…ＡＶデコード処理
【図１】
2007019996.tif 000003
【図２】
2007019996.tif 000004
【図３】
2007019996.tif 000005
【図４】
2007019996.tif 000006
【図５】
2007019996.tif 000007
【図６】
2007019996.tif 000008
【図７】
2007019996.tif 000009
【図８】
2007019996.tif 000010
【図９】
2007019996.tif 000011